(57)【特許請求の範囲】
【請求項１】
患者に医療用流体を注入するための搬送装置を備えた医療用流体搬送システムの流量を調節する調節装置（１０）であって、
複数の可能流量のうちの１つを選択する選択ホイール（１２）と、
前記選択ホイール（１２）に接続されており、所望の流量を調節するために設けられた調節ディスク（１４）と、
前記調節ディスク（１４）の外縁と協働するデテント（２６）と、を備え、
前記選択ホイール（１２）と前記調節ディスク（１４）は、一体回転のために互いに連結固定されており、
前記調節ディスク（１４）が、山頂（２４）および谷間（２２）を含む星形状を有しており、
前記流体は、選択された回転位置に相当する流量で、前記搬送装置から患者に注入されるように、構成されている調節装置（１０）であって、
前記デテント（２６）は、スプリング（２８）の力に抗して、当該デテント（２６）と
前記谷間（２２）との係合が前記調節ディスク（１４）の安定な位置を引き起こし、当該デテント（２６）と前記山頂（２４）との係合が前記調節ディスク（１４）の不安定な位置を引き起こすように支持されていることを特徴とする、調節装置（１０）。
【請求項２】
請求項１に記載の調節装置（１０）において、前記星形状が、前記調節ディスク（１４）の径方向外縁のジグザグ形状を形成していることを特徴とする、調節装置（１０）。
【請求項３】
請求項２に記載の調節装置（１０）において、前記谷間（２２）のそれぞれが、前記選択ホイール（１２）及び前記調節ディスク（１４）の、各流量を調節するのに要求される回転位置のうちの１つに対応することを特徴とする、調節装置（１０）。
【請求項４】
請求項２または３に記載の調節装置（１０）において、前記山頂（２４）のそれぞれが、前記選択ホイール（１２）及び前記調節ディスク（１４）の、対応流量の互いに隣り合う２つの回転位置の、ちょうど間に位置した回転位置に対応することを特徴とする、調節装置（１０）。
【請求項５】
請求項２から４のいずれか一項に記載の調節装置（１０）において、前記ジグザグ形状の隣り合った線（１８，２０）が、互いに対して１０°〜１５５°の範囲内の角度で配置されていることを特徴とする、調節装置（１０）。
【請求項６】
請求項２から５のいずれか一項に記載の調節装置（１０）において、前記山頂（２４）および／または前記谷間（２２）は、それぞれ丸みが付けられていることを特徴とする、調節装置（１０）。
【請求項７】
請求項１から６のいずれか一項に記載の調節装置（１０）において、前記デテント（２６）が、スパイラルスプリング（２８）における突部として形成されていることを特徴とする、調節装置（１０）。
【請求項８】
請求項１に記載の調節装置（１０）において、前記デテントが、スプリング（２８）に接続されたスパイクとして形成されていることを特徴とする、調節装置（１０）。
【発明の詳細な説明】
【技術分野】
【０００１】
本発明は、医療用流体搬送システムの流量（Flussrate）を調節する調節装置に関する。
【背景技術】
【０００２】
医療用流体搬送システムとして、例えば、注入療法用の注入装置や、患者に鎮痛剤を注入するのに用いられる注入装置等が挙げられる。このような流体搬送システムを使用する際には、流体の搬送に用いる複数の可能流量のうちの１つを選択・設定する必要がある。流体の搬送に用いる流量の調節は、高い精度と信頼性で実行されなければならない。特に注入装置では、誤った設定が過量投与または過少量投与につながり、患者にとって重大な結果を招く恐れがある。
【０００３】
流量の調節は、回転式の制御装置（Drehregler）によって行うことが知られている。この場合、複数の可能流量のうちの１つを選択する選択ホイール（Waehlrad）が設けられる。この選択ホイールには、選択された流量を調節する調節ディスク(Stellscheibe)が、その選択ホイールと共に回転が可能なように固定的に接続される。この配置構成において、その調節ディスクの径方向外縁（aeusseren Rand）は、デテント（Fangnase）と協働する。これらデテントと調節ディスクとの係合は、デテントが調節ディスクを（したがって、選択ホイールも）、所望の流量を調節するのに要求される各回転位置にロックするように構成されている。
【０００４】
既知の調節装置の問題点は、装置が各流量の隣り合う調節位置の間の途中点に設定されてしまって、これらの流量のいずれも選択されないという状況が起こり得る点である。このような場合、誤って設定された途中位置は、設定されたまま維持される。これは、調整メカニズムにもよるが、流体の最大搬送または流体の非搬送につながり得る。このことは特に、注入によって行われる治療の際に、患者にとって重大な結果を招きかねない。
【発明の概要】
【発明が解決しようとする課題】
【０００５】
本発明の目的の一つは、医療用流体搬送システムの流量を調節する、改良された調節装置を提供することである。
【課題を解決するための手段】
【０００６】
本発明にかかる調節装置は、請求項１で定義された構成によって定められる。具体的に述べると、調節ディスクが、星形状とされる。星形状（Sternform）のデザインは、調節ディスクに、最大半径を持つ複数の領域と最小半径を持つ複数の領域とを含む径方向外縁を有する回転対称形状を与える。この径方向外縁が最大半径を持つ領域は「山頂」(Gipfel)と称することができ、最小半径を持つ領域は「谷間」(Taeler)と称することができる。調節ディスクが前記星形状である結果、それら谷間と山頂とは、交互に入れ替わる。デテント（detent）と調節ディスクの前記星形状とが協働することで、デテントが谷間に係合すると調節ディスクの安定な位置が生じて、デテントが山頂に係合すると不安定な位置が生じる。この点に関して言えば、山頂が一定の半径を有するのではなく、近隣の山頂に向かうにつれて減少する最小半径を有していることが重要なのである。これにより、デテントが山頂に係合した際に、調節ディスクの不安定な位置が得られる。谷間は、各流量の調節に用いる回転位置を得る役割を果たす一方、途中の山頂は、設定可能流量の互いに隣り合う回転位置の、あいだにある回転点に相当する。これにより、隣り合う流量の間にある回転位置が誤って設定されても、調節ディスクの不安定な回転位置が引き起こされることになる。
【０００７】
ばねの力に抗して支持されており、かつ、そのばねによって調節ディスクの径方向外縁に押し付けられるデテントには、前記径方向外縁に対して隣り合う谷間の間の場所で当接したときに前記ばねの力が調節ディスクを当該調節ディスクの不安定な位置外へと回転させることでデテントを谷間へと（したがって、安定な位置へと）移動させるという効果がある。この配置構成において、デテントは、スパイラルスプリングにおける突部として（例えば、尖った先端を有する三角形状の突部等として）形成され得る。変形例として、デテントは、ばねに（例えば、スパイラルスプリング等に）接続されたスパイクとして形成され得る。
【０００８】
好ましくは、調節ディスクの前記星形状は、前記径方向外縁のジグザグ形状を生じさせて、そのジグザグ形状の隣り合った線が、互いに対して１０°〜１５５°の範囲内（より好ましくは、９０°〜１３５°の範囲内）の角度で傾いている。
【０００９】
以下では、本発明の例示的な一実施形態を、添付の図面を参照しながら詳細に説明する。
【図面の簡単な説明】
【００１０】
【図１】調節装置を回転軸心の方向からみた図である。
【図２】図１の矢印ＩＩの方向からみた図である。
【図３】第１の回転位置での、図２の線ＩＩＩ−ＩＩＩに沿った断面図である。
【図４】第２の回転位置での、図３と同様の断面図である。
【図５】図４においてＶで表された細部の詳細図である。
【発明を実施するための形態】
【００１１】
図１は、調節装置１０の図である。同図には、選択ホイール１２の表面の、そのホイールの回転軸心からみた様子が示されている。０〜７の数字が、選択ホイール１２の径方向外縁に沿って一定の相互間隔で付されている。これらの数字は、当該数字に対応する回転位置を表す。０〜７の数字は、それぞれ、設定可能な可能流量に割り振られている。０は流れがないことに相当し、７は最大の流れに相当する。
【００１２】
選択ホイール１２は、図１に示すように円形状であり、かつ、回転軸心１６回りに回転可能に支持されている。選択ホイール１２は、回転対称の調節ディスク１４に強固に接続されている。これにより、調節ディスク１４も、共通の回転軸心１６回りに回転可能となっている。選択ホイール１２および調節ディスク１４は、一体回転が可能であるように互いに固定的に連結されている。図１では、調節ディスク１４を、選択ホイール１２の裏に隠された構成要素として概略的に示している。
【００１３】
調節ディスク１４は、その外周に沿ってジグザグ線１８，２０により形成された星形状の輪郭を有している。この星形状は、図３及び図４に示すように、回転軸心１６に沿った視線方向で見ることができる。
【００１４】
調節ディスク１４の径方向外縁の前記ジグザグ線１８，２０は、直線であり、かつ、互いに対して約１１０°〜約１３０°の範囲内の面角（flachen Winkeln）で配置されている。隣り合うジグザグ線１８，２０同士は、それらの接触点において谷間２２および山頂２４を形成する。この構成において、径方向外側の先端として形成されているそれぞれの山頂２４は、最大半径を持つ点を形成する。同様に、径方向内側の先端として形成されているそれぞれの谷間２２は、最小半径を持つ点を形成する。全ての谷間２２の半径は互いに等しく、全ての山頂２４の半径も互いに等しい。
【００１５】
調節ディスク１４の、星形状の径方向外縁の前記ジグザグ線１８，２０は、デテント２６によって係合される。デテント２６は、図３〜図５に示すように、スパイラルスプリング２８の三角形状の先端として形成されている。例示的な本実施形態において、スパイラルスプリング２８は、屈曲板ばね（geknickte Blattfeder）である。スパイラルスプリング２８は、デテント２６を調節ディスク１４に対して径方向内側へと、図３及び図４の矢印３０の方向で、押し付けるばね力を生成するように、調節ディスク１４との関係で配置されている。
【００１６】
図３に、スプリング２８がデテント２６を前記星形状における谷間２２へと押圧する、調節ディスク１４の安定な位置が示されている。選択ホイール１２を回してこの調節ディスク１４を回転させるには、スパイラルスプリング２８がデテント２６を介して調節ディスク１４の外縁に加える力に対抗する力を印加する必要がある。隣り合う谷間の間にある途中位置への不用意な調節が行われた場合、調節ディスク１４は必ず不安定な位置に置かれる。図４及び図５に、途中位置の一例を示す。このような状況において前記星形状には、スパイラルスプリング２８の力の影響下にあるデテント２６が調節ディスク１４の縁を自身が前記谷間のうちの１つで静止するまで斜め方向に押圧して調節ディスク１４を回転させるという効果がある。これにより、隣り合う谷間の間にある途中位置への設定を防ぐことができる。
以下に本発明の態様を示す。
[態様１]  医療用流体搬送システムの流量を調節する調節装置（１０）であって、複数の可能流量のうちの１つを選択する選択ホイール（１２）と、前記選択ホイール（１２）に接続されており、所望の流量を調節するために設けられた調節ディスク（１４）と、前記調節ディスク（１４）の外縁と協働するデテント（２６）と、を備える、調節装置（１０）において、前記調節ディスク（１４）が、星形状を有することを特徴とする、調節装置（１０）。
[態様２]  態様１の調節装置（１０）において、前記星形状が、前記調節ディスク（１４）の径方向外縁のジグザグ形状を形成しており、当該ジグザグ形状が、山頂（２４）および谷間（２２）を含むことを特徴とする、調節装置（１０）。
[態様３]  態様２に記載の調節装置（１０）において、前記谷間（２２）のそれぞれが、前記選択ホイール（１２）及び前記調節ディスク（１４）の、各流量を調節するのに要求される回転位置のうちの１つに対応することを特徴とする、調節装置（１０）。
[態様４]  態様２または３に記載の調節装置（１０）において、前記山頂（２４）のそれぞれが、前記選択ホイール（１２）及び前記調節ディスク（１４）の、対応流量の互いに隣り合う２つの回転位置の、ちょうど間に位置した回転位置に対応することを特徴とする、調節装置（１０）。
[態様５]  態様２から４のいずれか一項に記載の調節装置（１０）において、前記ジグザグ形状の隣り合った線（１８，２０）が、互いに対して１０°〜１５５°の範囲内の角度で配置されていることを特徴とする、調節装置（１０）。
[態様６]  態様２から５のいずれか一項に記載の調節装置（１０）において、前記山頂（２４）および／または前記谷間（２２）は、それぞれ丸みが付けられていることを特徴とする、調節装置（１０）。
[態様７]  態様１から６のいずれか一項に記載の調節装置（１０）において、前記デテント（２６）は、スプリング（２８）の力に抗して、当該デテント（２６）と谷間（２２）との係合が前記調節ディスク（１４）の安定な位置を引き起こし、当該デテント（２６）と山頂（２４）との係合が前記調節ディスク（１４）の不安定な位置を引き起こすように支持されていることを特徴とする、調節装置（１０）。
[態様８]  態様１から７のいずれか一項に記載の調節装置（１０）において、前記デテント（２６）が、スパイラルスプリング（２８）における突部として形成されていることを特徴とする、調節装置（１０）。
[態様９]  態様７に記載の調節装置（１０）において、前記デテントが、スプリング（２８）に接続されたスパイクとして形成されていることを特徴とする、調節装置（１０）。
【図１】
0006542762.tif 000002
【図２】
0006542762.tif 000003
【図３】
0006542762.tif 000004
【図４】
0006542762.tif 000005
【図５】
0006542762.tif 000006